(57)【要約】      （修正有）【課題】農業用ハウスの鉛直荷重に対する補強を十分なものとすることができ、容易に取り付け取り外しができる農業用ハウスの補強構造を提供する。【解決手段】農業用ハウスの補強構造１は、少なくとも上部が山形に形成され、柱材３、アーチ材４、及び連結材５からなる骨格部６を有する農業用ハウスの補強構造であって、骨格部の頂部に固定され、下方に向かって開口する上部受け具８と、上部受け具の鉛直方向の下方に配置され、下部が地面に埋設されるアンカー部を有するとともに、上部が上方に向かって開口する下端受け部を形成する下部受け具９と、上端が上部受け具に挿入されると共に、下端が下端受け部に挿入されて、鉛直方向に立設する補強柱１０とを備え、下端受け部は、水平方向から補強柱の下端を挿入可能な切り欠き部を有する。【選択図】図２
0003192179.tif 000002
【実用新案登録請求の範囲】
【請求項１】
少なくとも上部が山形に形成される骨格部を有する農業用ハウスの補強構造であって、
前記骨格部の頂部に固定され、下方に向かって開口する上部受け具と、
前記上部受け具の鉛直方向の下方に配置され、下部が地面に埋設されるアンカー部を有するとともに、上部が上方に向かって開口する下端受け部を形成する下部受け具と、
上端が前記上部受け具に挿入されると共に、下端が前記下端受け部に挿入されて、鉛直方向に立設する補強柱とを備え、
前記下端受け部は、水平方向から前記補強柱の下端を挿入可能な切り欠き部を有することを特徴とする農業用ハウスの補強構造。
【請求項２】
前記上部受け具は略円筒形状であるとともに、
前記下端受け部は、略円筒形状の一部に前記切り欠き部が形成される水平断面が略Ｃ字状に形成されており、
前記補強柱は、水平断面が略長方形状であり、当該水平断面の少なくとも対角線が、前記上部受け具及び前記下端受け部の直径よりも短く、対向する一方の二辺が前記切り欠き部の水平幅よりも短く、他方の二辺が前記切り欠き部の水平幅よりも長いことを特徴とする請求項１に記載の農業用ハウスの補強構造。
【考案の詳細な説明】
【技術分野】
【０００１】
本考案は、植物を育成する農業用ハウスを補強する農業用ハウスの補強構造に関する。
【背景技術】
【０００２】
従来より外部環境に左右されずに農作物を栽培するために、ビニールハウスなどの農業用ハウスが知られている。このような農業用ハウスは、幅方向の両側に互いに間隔を開けて左右の柱材が設けられ、これら左右の柱材の上端の間に山形のアーチ材が架け渡されおり、互いに隣接する柱材又はアーチ材をそれぞれ長さ方向に延びる連結材で連結して骨格部を形成し、当該骨格部に可撓性を有する樹脂フィルムを被覆して形成される。
【０００３】
このような農業用ハウスは、地域によって強風や積雪に耐えることができるように補強する必要があり、種々の補強構造が提案されている。例えば、農業用ハウスの左右の柱材と並べて補強支柱を設け、補強支柱の上端に骨組の上端側に設けた連結材とを連結固定して、農業用ハウスを補強する構成が開示されている（例えば特許文献１）。また、例えば、農業用ハウスのほぼ中央に補強柱を立設させて、補強柱が直接アーチ材の頂部を補強する構成が開示されている（例えば特許文献２）。
【先行技術文献】
【特許文献】
【０００４】
【特許文献１】特開２００７−３１９０９９号公報
【特許文献２】特開平０７−３３１９０７号公報
【考案の概要】
【考案が解決しようとする課題】
【０００５】
しかし、特許文献１のような構成は、農業用ハウスの幅方向の両側に設けた補強支柱でアーチ材を支える構成であるので、アーチ材の中央を直接支える場合に比べて鉛直荷重に対しては補強強度が弱く、アーチ材を被覆する樹脂フィルムの上の積雪による鉛直荷重に対して十分に補強することは困難である。
【０００６】
また、特許文献２のような構成は、農業用ハウスの中央に補強柱が立設されており、農作業の際には邪魔になりやすく、また、耕運機などで田畑を耕すために一旦農業用ハウスを取り外す場合にも補強柱の取り外しに手間がかかる。
【０００７】
そこで本考案は、農業用ハウスの鉛直荷重に対する補強を十分なものとすることができ、容易に取り付け取り外しができる農業用ハウスの補強構造を提供することを目的とする。
【課題を解決するための手段】
【０００８】
請求項１に記載の農業用ハウスの補強構造は、少なくとも上部が山形に形成される骨格部を有する農業用ハウスの補強構造であって、前記骨格部の頂部に固定され、下方に向かって開口する上部受け具と、前記上部受け具の鉛直方向の下方に配置され、下部が地面に埋設されるアンカー部を有するとともに、上部が上方に向かって開口する下端受け部を形成する下部受け具と、上端が前記上部受け具に挿入されると共に、下端が前記下端受け部に挿入されて、鉛直方向に立設する補強柱とを備え、前記下端受け部は、水平方向から前記補強柱の下端を挿入可能な切り欠き部を有することを特徴としている。
【０００９】
請求項２に記載の農業用ハウスの補強構造は、前記上部受け具は略円筒形状であるとともに、前記下端受け部は、略円筒形状の一部に前記切り欠き部が形成される水平断面が略Ｃ字状に形成されており、前記補強柱は、水平断面が略長方形状であり、当該水平断面の少なくとも対角線が、前記上部受け具及び前記下端受け部の直径よりも短く、対向する一方の二辺が前記切り欠き部の水平幅よりも短く、他方の二辺が前記切り欠き部の水平幅よりも長いことを特徴としている。
【考案の効果】
【００１０】
請求項１に記載の農業用ハウスの補強構造は、骨格部の頂部に上部受け具が固定されており、上部受け具の鉛直方向下側に下部受け具が配置されており、補強柱がその上端を上部受け具に挿入され、その下端が下部受け具の上部に形成された下端受け部に挿入されるように鉛直方向に立設するので、農業用ハウスの骨格部の頂部を補強柱で支えることができ、農業用ハウスを補強することができる。このように骨格部の頂部を鉛直方向に延びる補強柱で支えることで、特に、積雪などによって農業用ハウスに加わる鉛直荷重に対して補強を十分なものとすることができる。また、下端受け部は、水平方向から補強柱の下端を挿入可能な切り欠き部を有するので、補強柱を設置する際には、まず、上部受け具の開口に補強柱の上端を下方から挿入した後、補強柱の下端を下端受け部の切り欠き部から水平に挿入することができるので、補強柱をきわめて簡単に設置することができる。そして、補強柱を設置する手順と逆の手順で、補強柱を取り外すことができるので、例えば台風シーズンや積雪期でないなどの理由で補強柱が必要ない時期や、田畑を耕す場合など農業用ハウスを一旦除去する場合などのように、補強柱を取り外す必要がある場合に、きわめて簡単に補強柱を取り外すことができる。
【００１１】
請求項２に記載の農業用ハウスの補強構造は、上部受け具が略円筒形状である。また、下端受け部が、略円筒形状の一部に前記切り欠き部が形成される水平断面が略Ｃ字状に形成されている。そして、補強柱は、水平断面が略長方形状であり、当該水平断面の少なくとも対角線が、上部受け具及び下端受け部の直径よりも短く、対向する一方の二辺が切り欠き部の水平幅よりも短く、他方の二辺が前記切り欠き部の水平幅よりも長く形成されている。したがって、補強柱を設置する際には、まず、上部受け具の開口に補強柱の上端を下方から挿入した後、補強柱の下端を水平断面の短辺が切り欠き部を向くようにして下端受け部の切り欠き部から水平に挿入する。そして、補強柱は、その上端が上部受け具に挿入され、その下端が下端受け部に挿入された状態で、補強柱の水平断面の長辺が切り欠き部を向くように、水平方向に回転させることで、切り欠き部の水平幅よりも長い補強柱の水平断面の長辺が引っかかるので、補強柱が外れることを防ぐことができる。このように、補強柱を水平方向に回転させるだけで補強柱の下端を下部受け部の切り欠き部から外れない状態と、切り欠き部からはずすことができる状態とに移行させることができるので、きわめて簡単に補強柱を設置し、また、取り外すことができる。
【図面の簡単な説明】
【００１２】
【図１】骨格部を省略した農業用ハウスの全体構成を示す斜視図。
【図２】樹脂フィルムを省略した農業用ハウスの全体構成を示す斜視図。
【図３】上部受け具の外観構成を示す斜視図。
【図４】下部受け具の外観構成を示す斜視図。
【図５】補強柱の外観構成を示す斜視図。
【図６】頂部におけるアーチ材及び連結材に上部受け具を固定した状態を示す一部省略斜視図。
【図７】地面に下部受け具を固定した状態を示す図。
【図８】上部受け具に補強柱の上端を挿入する状態を示す一部省略斜視図。
【図９】下部受け具の下端受け部に形成された切り欠き部に補強柱の下端を挿入する状態を示す一部省略斜視図。
【図１０】下部受け具の下端受け部に補強柱を挿入した後、補強柱を水平方向に回転させる状態を示す断面図。
【図１１】上部受け具の別の実施形態を示す斜視図。
【考案を実施するための形態】
【００１３】
以下、本考案に係る農業用ハウスの補強構造１の最良の実施形態について、各図を参照しつつ説明する。農業用ハウス２は、図１及び図２に示すように、幅方向の両側に互いに間隔を開けて左右の柱材３が設けられ、これら左右の柱材３の上端の間に山形のアーチ材４が架け渡されおり、互いに隣接する柱材３又はアーチ材４をそれぞれ長さ方向に延びる連結材５で連結して形成される骨格部６と、骨格部６を覆う可撓性を有する樹脂フィルム７とにより形成されている。なお、図１においては、図示の便宜上、骨格部６の記載を省略するとともに、農業用ハウスの補強構造１を構成する上部受け具８、下部受け具９、及び補強柱１０を２点鎖線で表している。
【００１４】
本実施形態においては、左右それぞれ５本の柱材３が農業用ハウス２の長さ方向に列設されており、それぞれの柱材３にアーチ材４が架設されている。また、左右の柱材３に２本づつの連結材５が固定されており、また、アーチ材４の頂部に１本の連結材５が固定されている。骨格部６を形成する柱材３、アーチ材４、及び連結材５は、図示しないが、互いが当接する位置で接続用の金具や金属製の線材により接続されている。
【００１５】
骨格部６を形成する柱材３、アーチ材４、及び連結材５は、例えば、鋼管などの金属製のパイプ材であるが、これに限定されるものではなく、木材や樹脂材を用いて形成されていてもよい。また、骨格部６の形状はこれに限定されるものではなく、例えば、骨格部６の上部は、湾曲するアーチ材４に変えて２本の直線状のパイプ材を左右の柱材３の上端からそれぞれ斜め上方に向かうように配置して、山形に形成してもよい。なお、骨格部６には、図示しないが、適宜、筋交を設けるなどの補強を加えてもよい。
【００１６】
また、樹脂フィルム７は、例えばポリ塩化ビニルを用いることができるが、ポリオレフィンやフッ素樹脂などの他の樹脂製であってもよい。なお、農業用ハウス２は、一般にビニールハウスと呼ばれるが、被覆する樹脂フィルム７が必ずしもポリ塩化ビニルに限定されるものではないので、本考案においては農業用ハウス２としている。
【００１７】
なお、本実施形態に置いて、農業用ハウス２の長さ方向とは、農業用ハウス２の一方の妻面から他方の妻面に向かう方向をいい、農業用ハウス２の幅方向とは、農業用ハウス２の妻面に対して水平な方向をいう。
【００１８】
そして、農業用ハウスの補強構造１は、図１及び図２に示すように、骨格部６のアーチ材４の頂部に固定され、下方に向かって開口する上部受け具８と、上部受け具８の鉛直方向の下方に配置され、地面に埋設されるアンカー部９１と、上方に向かって開口する下端受け部９２と、地面に載置されるプレート９３と、を有する下部受け具９と、上端が上部受け具８に挿入されると共に、下端が前記下端受け部９２に挿入されて、鉛直方向に立設する補強柱１０とを備えている。
【００１９】
上部受け具８は、図３に示すように、上下がそれぞれ開口した例えば鋼製の円筒形状である。なお、上部受け具８は、樹脂製、金属製、その他、必要な強度を有する如何なる材質のものであってもよい。上部受け具８の上端の近傍には２箇所に貫通する固定孔８１が設けられている。なお、上部受け具８の形状はこれに限定されるものではなく、骨格部６のアーチ材４の頂部、又は、頂部に設けられた連結材５に固定することができる形状であれば如何なる形状であってもよい。上部受け具８の内周面の径は、少なくとも補強柱１０が挿入可能な大きさに形成されており、上部受け具８に上端を挿入した状態の補強柱１０の下端が、僅かに揺動することができる程度の隙間が設けられることが好ましい。
【００２０】
下部受け具９は、地面に載置されるプレート９３と、プレート９３から下方に向かって延びており、地面に埋設されるアンカー部９１と、プレート９３から上方に向かって延びる下端受け部９２とにより構成されている。プレート９３は略長方形の平板状であり、地面に載置されることで下部受け具９の姿勢を維持している。アンカー部９１は、円筒形状であり、地面に埋設されることにより下部受け具９を地面に固定している。下端受け部９２は、上部受け具８と同じ径の円筒形状の一部を切り欠いて切り欠き部９４が形成された水平断面が略Ｃ字状に形成されており、補強柱１０の下端を挿入可能となっている。
【００２１】
補強柱１０は、アルミニウム合金性の長方形の筒状に形成されている。なお、補強柱１０は、本実施形態においては、厳密には水平断面における対向する２つの短辺の長さが僅かに異なる台形形状であるが、２つの短辺の長さの差は僅かであるので、略長方形状であるといえる。なお、補強柱１０の水平断面は完全な長方形状であってもよい。
【００２２】
農業用ハウスの補強構造１は、以上のような部材により構成されており、骨格部６を構成するアーチ材４の頂部に固定される上部受け具８と、アンカー部９１及びプレート９３によって地面に固定されている下部受け具９と、により補強柱１０の上端及び下端が固定されているので、農業用ハウス２の幅方向の中央に鉛直に補強柱１０が立てられることになり、農業用ハウス２の鉛直荷重に対して十分に補強することができる。
【００２３】
次に、農業用ハウスの補強構造１を農業用ハウス２に設置する手順について説明する。まず、図６に示すように骨格部６の頂部に上部受け具８を固定する。具体的には、上部受け具８の上端付近に形成されている２つの固定孔８１に金属製の線材１１を挿入し、この線材１１を骨格部６の頂部に位置するアーチ材４及び連結材５に巻きつけて、これらアーチ材４及び連結材５の下側に上部受け具８が垂下するように固定する。
【００２４】
そして、図７に示すように、上部受け具８が固定された位置の鉛直方向の地面に下部受け具９を固定する。すなわち、下部受け具９のアンカー部９１を地面に埋設させつつ、プレート９３を地面に載置する。
【００２５】
次いで、図８に示すように、補強柱１０の上端を上部受け具８に下方から挿入する。さらに、図９に示すように、補強柱１０の下端を下部受け具９の下端受け部９２に形成された切り欠き部９４から下端受け部９２の内部に挿入する。このとき図１０（Ａ）及び（Ｂ）に示すように、補強柱１０は水平断面における短辺が切り欠き部９４を向くように配置して、補強柱１０の下端を切り欠き部９４から下端受け部９２の内部に挿入する。そして、図１０（Ｃ）に示すように、上端が上部受け具８に挿入され、下端が下部受け具９の下端受け部９２に挿入された補強柱１０を水平方向に略９０度回転させる。このように回転させると、補強柱１０の水平断面における長辺が切り欠き部９４を向くようになり、補強柱１０の下端が下端受け部９２から外れることがなくなるので、補強柱１０により確実に農業用ハウス２を補強することができる。
【００２６】
また、補強柱１０を取り外す際には、上記と逆の手順で補強柱１０を取り外すことができる。したがって、例えば、台風シーズンなどの強風の季節や積雪期には簡単に補強柱１０を取り付け、一方、補強柱１０が必要ない時期には簡単に補強柱１０をはずして農作業や田畑を耕す作業の邪魔にならない。
【００２７】
以上のように、本実施形態にの農業用ハウスの補強構造１は、農業用ハウス２の骨格部６の頂部を補強柱１０で支えることができ、農業用ハウス２を補強することができ、特に、積雪などによって農業用ハウス２に加わる鉛直荷重に対して補強を十分なものとすることができる。また、下部受け具９が、水平方向から補強柱１０の下端を挿入可能な切り欠き部９４を有しており、この切り欠き部９４が、補強柱１０の水平断面における長辺よりも短く、短辺よりも長い水平幅を有しているので、補強柱１０の上端が上部受け具８に挿入され、下端が下部受け具９に挿入された状態で、補強柱１０の水平断面の長辺が切り欠き部９４を向くように、水平方向に回転させるだけで、補強柱１０が外れることを確実に防ぐことができ、きわめて簡単に補強柱１０を設置し、また、取り外すことができる。
【００２８】
なお、本実施形態においては、上部受け具８は、線材１１により、頂部におけるアーチ材４及び連結材５に固定される形状であったが、例えば、図１１（Ａ）に示すように、上部受け具８の上端に固定用棒材１２が固定されているものであってもよい。すなわち、図１１（Ｂ）に示すように、この固定用棒材１２が、取り付け金具１３によって頂部における連結材５に固定されることで、上部受け具８を連結材５に固定するものであってもよい。
【００２９】
なお、本考案の実施の形態は上述の形態に限ることなく、本考案の思想の範囲を逸脱しない範囲で適宜変更することができることは云うまでもない。
【産業上の利用可能性】
【００３０】
本考案に係る農業用ハウスの補強構造１は、例えば積雪地域や強風地域における農業用ハウス２を補強する構造として好適に用いることができる。
【符号の説明】
【００３１】
１    農業用ハウスの補強構造
２    農業用ハウス
６    骨格部
８    上具受け具
９    下部受け具
１０  補強柱
９１  アンカー部
９２  下端受け部
９３  プレート
９４  切り欠き部
【図１】
0003192179.tif 000003
【図２】
0003192179.tif 000004
【図３】
0003192179.tif 000005
【図４】
0003192179.tif 000006
【図５】
0003192179.tif 000007
【図６】
0003192179.tif 000008
【図７】
0003192179.tif 000009
【図８】
0003192179.tif 000010
【図９】
0003192179.tif 000011
【図１０】
0003192179.tif 000012
【図１１】
0003192179.tif 000013